【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、１以上のレンズ群を含む後群より構成され、
広角端に比べて望遠端において、前記第１レンズ群と前記第２レンズ群との間隔が広くなり、前記第２レンズ群と前記第３レンズ群の間隔が狭くなるように、隣り合うレンズ群の間隔を変化させてズーミングを行うズームレンズにおいて、
前記第３レンズ群は少なくとも１つの負レンズを有し、該負レンズの材料のアッベ数と部分分散比を各々νｄ３ｎ、θｇＦ３ｎとするとき、
−１．６８×１０-3×νｄ３ｎ＋０．５７０＜θｇＦ３ｎ＜３．１５×１０-4×νｄ３ｎ2−１．８６×１０-2×νｄ３ｎ＋０．８７８
５＜νｄ３ｎ＜２７
なる条件を満足することを特徴とするズームレンズ。
【請求項２】
前記第３レンズ群の少なくとも１つの負レンズの焦点距離をｆ３ｎ、前記第３レンズ群の焦点距離をｆ３とするとき、
０．５＜｜ｆ３ｎ｜／ｆ３＜６．０
なる条件を満足することを特徴とする請求項１に記載のズームレンズ。
【請求項３】
望遠端における全系の焦点距離をｆＴ、前記第２レンズ群の焦点距離をｆ２とするとき、
５．０ ＜ ｆＴ／｜ｆ２｜ ＜ ２５．０
なる条件を満たすことを特徴とする請求項１又は２に記載のズームレンズ。
【請求項４】
望遠端における全系の焦点距離をｆＴ、前記第３レンズ群の焦点距離をｆ３とするとき、
０．１ ＜ ｆ３／ｆＴ ＜ １．０
なる条件を満たすことを特徴とする請求項１乃至３のいずれか１項に記載のズームレンズ。
【請求項５】
広角端と望遠端における全系の焦点距離を各々ｆＷ、ｆＴ、望遠端でのＦナンバーをＦｎｏＴとするとき、
３．２ ＜ （ｆＴ／ｆＷ）／ＦｎｏＴ ＜ １５
なる条件を満たすことを特徴とする請求項１乃至４のいずれか１項に記載のズームレンズ。
【請求項６】
前記第３レンズ群の少なくとも１つの負レンズの材料の屈折率をＮｄ３ｎとするとき、
１．８４ ＜ Ｎｄ３ｎ ＜ ２．５０
なる条件を満たすことを特徴とする請求項１乃至５のいずれか１項記載のズームレンズ。
【請求項７】
前記第１レンズ群と前記第２レンズ群の焦点距離を各々ｆ１、ｆ２とするとき、
３．０ ＜ ｆ１／｜ｆ２｜ ＜ １０．０
なる条件を満たすことを特徴とする請求項１乃至６のいずれか１項記載のズームレンズ。
【請求項８】
前記第３レンズ群の少なくとも１つの負レンズの光軸上の厚さをｔ３ｎ、前記第１レンズ群のレンズのうち光軸上の厚さが最小のレンズの光軸上の厚さをｔ１ｍｉｎとするとき、
０．８＜ｔ１ｍｉｎ／ｔ３ｎ＜５．０
なる条件を満足することを特徴とする請求項１乃至７のいずれか１項のズームレンズ。
【請求項９】
前記後群は全ズーム範囲において全体として正の屈折力であることを特徴とする請求項１乃至８のいずれか１項記載のズームレンズ。
【請求項１０】
前記後群は、正の屈折力の第４レンズ群から成ること又は負の屈折力の第４レンズ群と正の屈折力の第５レンズ群からなることを特徴とする請求項１乃至９のいずれか１項に記載のズームレンズ。
【請求項１１】
請求項１乃至１０のいずれか１項に記載のズームレンズと、該ズームレンズによって形成された像を受光する撮像素子を有することを特徴とする撮像装置。
【手続補正２】
【補正対象書類名】明細書
【補正対象項目名】００１１
【補正方法】変更
【補正の内容】
【００１１】
本発明は、ポジティブリード型のズームレンズにおいて、望遠端における色収差の発生を軽減することができ、高ズーム比でズーム全域で良好な光学特性が得られるズームレンズ及びそれを有する撮像装置の提供を目的とする。
【手続補正３】
【補正対象書類名】明細書
【補正対象項目名】００１２
【補正方法】変更
【補正の内容】
【００１２】
本発明のズームレンズは、物体側から像側へ順に、正の屈折力の第１レンズ群、負の屈折力の第２レンズ群、正の屈折力の第３レンズ群、１以上のレンズ群を含む後群より構成され、
広角端に比べて望遠端において、前記第１レンズ群と前記第２レンズ群との間隔が広くなり、前記第２レンズ群と前記第３レンズ群の間隔が狭くなるように、隣り合うレンズ群の間隔を変化させてズーミングを行うズームレンズにおいて、
前記第３レンズ群は少なくとも１つの負レンズを有し、該負レンズの材料のアッベ数と部分分散比を各々νｄ３ｎ、θｇＦ３ｎとするとき、
−１．６８×１０-3×νｄ３ｎ＋０．５７０＜θｇＦ３ｎ＜３．１５×１０-4×νｄ３ｎ2−１．８６×１０-2×νｄ３ｎ＋０．８７８
５＜νｄ３ｎ＜２７
なる条件を満足することを特徴としている。
【手続補正４】
【補正対象書類名】明細書
【補正対象項目名】００１３
【補正方法】変更
【補正の内容】
【００１３】
本発明によれば、望遠端における色収差の発生を軽減することができ、高ズーム比でズーム全域で良好な光学特性が得られるズームレンズ及びそれを有する撮像装置が得られる。
【手続補正５】
【補正対象書類名】明細書
【補正対象項目名】００１５
【補正方法】変更
【補正の内容】
【００１５】
以下に本発明の好ましい実施の形態を、添付の図面に基づいて詳細に説明する。本発明のズームレンズは、物体側から像側へ順に、正の屈折力（光学的パワー＝焦点距離の逆数）の第１レンズ群、負の屈折力の第２レンズ群、正の屈折力の第３レンズ群、１以上のレンズ群を含む後群より構成されている。ズーミングに際しては広角端に比べて望遠端において第１レンズ群と第２レンズ群との間隔が広く、第２レンズ群と第３レンズ群の間隔が狭くなるように、隣り合うレンズ群の間隔を変化させている。
【手続補正６】
【補正対象書類名】明細書
【補正対象項目名】００１９
【補正方法】変更
【補正の内容】
【００１９】
収差図においてＳＡは球面収差、ＡＳは非点収差、ＤＩＳＴは歪曲、ＣＨＲＯは倍率色収差を示している。ＦｎｏはＦナンバー、ωは半画角（度）である。球面収差図において、実線はｄ線（波長５８７．６ｎｍ）、２点鎖線はｇ線（波長４３５．８ｎｍ）、１点鎖線はＣ線（波長６５６．３ｎｍ）、点線はＦ線（波長４８６．１ｎｍ）である。
【手続補正７】
【補正対象書類名】明細書
【補正対象項目名】００２１
【補正方法】変更
【補正の内容】
【００２１】
各実施例はいずれも、物体側から像側へ順に、正の屈折力の第１レンズ群Ｂ１、負の屈折力の第２レンズ群Ｂ２、正の屈折力の第３レンズ群Ｂ３、そして１以上のレンズ群を有する全体として正の屈折力の後群ＬＲを有するズームレンズである。そしてズーミングに際しては、隣り合うレンズ群の間隔が変化している。後群ＬＲは、実施例１〜３では、正の屈折力の第４レンズ群Ｂ４により構成されている。
【手続補正８】
【補正対象書類名】明細書
【補正対象項目名】００５２
【補正方法】変更
【補正の内容】
【００５２】
［実施例１］
単位 mm
面データ
面番号       r        d      nd         νd      θgF
1         37.524    1.15   1.84666    23.8    0.62046       
2         20.941    4.70   1.60311    60.6    0.54143       
3        991.493    0.20                             
4         20.344    3.09   1.69680    55.5    0.54335       
5         56.718  (可変)                             
6         43.614    0.60   1.88300    40.8    0.56672       
7          5.143    2.38                             
8        -22.110    0.60   1.77250    49.6    0.55205       
9         12.639    0.52                             
10         10.317    1.48   1.92286    18.9    0.64952       
11         54.045  (可変)                             
12*         9.760    2.37   1.58313    59.4    0.54230       
13       -114.532    1.40                             
14(絞り)    ∞       2.30                             
15         50.939    0.60   1.84666    26.8    0.57997        
16          9.313    0.13                             
17*        10.093    1.94   1.58313    59.4    0.54230       
18        -64.391  (可変)                             
19         15.566    1.88   1.80400    46.6    0.55718       
20        -16.628    0.55   1.92286    18.9    0.64952       
21        -46.465  (可変)                             
22          ∞       1.00   1.51633    64.1    0.53524       
23          ∞       1.00                           
像面        ∞   
非球面データ
第12面
K =-9.06819e-001  A 4= 3.08508e-005  A 6=-9.43703e-008  A 8= 5.81160e-009  
第17面
K =-2.96495e-001  A 4=-1.68284e-004  
各種データ
ズーム比     14.80 
広角     中間     望遠
焦点距離       4.26    22.50    62.98  
Fナンバー      1.85     2.76     3.09  
半画角（度）   27.87     5.71     2.05  
像高           2.25     2.25     2.25  
レンズ全長    60.67    60.67    60.67  
BF             8.44    12.12     6.03  
d 5            0.65    15.08    19.63  
d11           19.80     5.38     0.82  
d18            5.88     2.20     8.29  
d21            6.79    10.46     4.38  
ズームレンズ群データ
群  始面    焦点距離  
1    1      30.89  
2    6      -5.79  
3   12      16.89  
4   19      15.77  
5   22       ∞    
【手続補正９】
【補正対象書類名】明細書
【補正対象項目名】００５３
【補正方法】変更
【補正の内容】
【００５３】
［実施例２］
単位 mm
面データ
面番号       r        d      nd         νd      θgF
1         43.894    1.20   1.84666    23.8    0.62046       
2         23.000    4.66   1.60311    60.6    0.54143       
3       -280.034    0.20                             
4         20.274    2.70   1.69680    55.5    0.54335       
5         51.120  (可変)                             
6         28.122    0.80   1.88300    40.8    0.56672       
7          6.540    2.26                             
8        -18.942    0.60   1.80400    46.6    0.55718       
9          7.022    0.86                             
10          8.972    1.52   1.92286    18.9    0.64952       
11         36.078  (可変)                             
12(絞り)    ∞       1.56                             
13*         6.952    3.01   1.58313    59.4    0.54230       
14*       -42.383    0.15                             
15         10.978    0.70   1.84660    23.4    0.59564       
16          6.327  (可変)                             
17         12.880    2.95   1.48749    70.2    0.53001       
18         -5.663    0.60   1.80610    33.3    0.58811       
19         -9.592  (可変)                             
20          ∞       2.00   1.51633    64.1    0.53524       
21          ∞       1.00                             
像面        ∞   
非球面データ
第13面
K =-5.49204e-001  A 4=-5.53825e-006  A 6=-2.35506e-007  A 8= 9.95678e-009  
第14面
K =-3.77037e+001  A 4= 2.03627e-004  A 6=-2.32415e-006  
各種データ
ズーム比     19.98 
広角     中間     望遠
焦点距離       3.62     9.89    72.39  
Fナンバー      1.85     2.20     3.50  
半画角（度）   28.90    11.44     1.58  
像高           2.00     2.00     2.00  
レンズ全長    61.21    61.21    61.21  
BF             8.99    11.56     5.18  
d 5            0.55    10.66    20.78  
d11           22.28    12.16     2.05  
d16            5.63     3.06     9.44  
d19            6.67     9.24     2.86  
ズームレンズ群データ
群  始面    焦点距離  
1    1      31.49  
2    6      -5.45  
3   12      17.64  
4   17      15.64  
5   20       ∞    
【手続補正１０】
【補正対象書類名】明細書
【補正対象項目名】００５４
【補正方法】変更
【補正の内容】
【００５４】
［実施例３］
単位 mm
面データ
面番号       r        d      nd         νd      θgF
1         66.915    1.50   1.84666    23.8    0.62046       
2         37.905    4.99   1.49700    81.5    0.53752       
3       -113.170    0.20                             
4         28.084    3.16   1.69680    55.5    0.54335       
5         67.192  (可変)                             
6         52.399    0.90   1.83481    42.7    0.56362       
7         12.495    4.30                             
8        -24.582    0.75   1.60311    60.6    0.54143       
9         12.239    1.68                             
10         15.234    1.70   1.92286    18.9    0.64952       
11         32.149  (可変)                             
12(絞り)    ∞     (可変)                             
13*         9.641    3.33   1.58313    59.4    0.54230       
14         69.685    3.91                             
15         15.555    0.70   2.10500    17.2    0.60817       
16          8.975    1.23                             
17         42.529    1.42   1.84666    23.8    0.62046       
18       -326.495  (可変)                             
19          ∞     (可変)                             
20         15.442    0.80   1.84666    23.8    0.62046       
21          9.959    2.83   1.80400    46.6    0.55718       
22        568.997  (可変)                             
23          ∞       1.00   1.51633    64.1    0.53524       
24          ∞       1.50                             
像面        ∞   
非球面データ
第13面
K =-1.05690e+000  A 4= 1.94658e-004  A 6= 3.70503e-005  A 8= 5.70955e-007  A10=
-1.88292e-009  
A 3=-8.59213e-005  A 5=-1.01902e-004  A 7=-6.93498e-006  
各種データ
ズーム比     11.55 
広角     中間     望遠
焦点距離       6.48    19.86    74.82  
Fナンバー      2.00     2.90     3.50  
半画角（度）   29.06    10.28     2.75  
像高           3.60     3.60     3.60  
レンズ全長    83.07    83.58    86.28  
BF            12.26    15.41     8.13  
d 5            0.80    14.54    26.06  
d11           24.46     8.43     3.00  
d12            9.20     6.47     1.62  
d18            1.16     2.61     4.29  
d19            1.79     2.71     9.78  
d22           10.10    13.25     5.97  
ズームレンズ群データ
群  始面    焦点距離  
1    1      44.37  
2    6     -10.48  
3   12       ∞    
4   13      27.64  
5   19       ∞    
6   20      20.25  
7   23       ∞    
【手続補正１１】
【補正対象書類名】明細書
【補正対象項目名】００５５
【補正方法】変更
【補正の内容】
【００５５】
［実施例４］
単位 mm
面データ
面番号       r        d      nd         νd      θgF
1         69.519    1.80   1.80610    33.3    0.58811       
2         35.653    6.20   1.49700    81.5    0.53752       
3       5960.101    0.20                             
4         36.095    4.20   1.60311    60.6    0.54143       
5        165.797  (可変)                             
6         52.500    1.00   1.88300    40.8    0.56672       
7         10.848    2.30                             
8         42.702    0.80   1.88300    40.8    0.56672       
9         10.138    3.65                             
10        -27.807    0.70   1.80610    33.3    0.58811       
11        165.235    0.20                             
12         22.393    2.40   1.92286    18.9    0.64952       
13        -88.493  (可変)                             
14(絞り)    ∞     (可変)                             
15*         9.850    3.20   1.58313    59.4    0.54230       
16        -51.755    3.31                             
17         54.205    0.80   1.76182    26.5    0.61353       
18          8.790    0.50                             
19         17.094    0.70   2.00800    10.2    0.58820
20         12.677    2.70   1.69895    30.1    0.60291       
21        -49.030  (可変)                             
22        -32.233    0.70   1.51633    64.1    0.53524       
23       -104.135  (可変)                             
24*        17.882    2.50   1.58313    59.4    0.54230       
25       -116.206  (可変)                             
26          ∞       1.00   1.51633    64.1    0.53524       
27          ∞       2.00                           
像面        ∞   
非球面データ
第15面
K =-5.07030e-001  A 4=-5.55503e-005  A 6= 2.81063e-007  A 8=-5.68817e-008  A10=
2.12024e-009  
第24面
K = 4.82475e-001  A 4=-2.45796e-005  A 6= 2.23972e-007  A 8=-3.98282e-009  
各種データ
ズーム比     19.76 
広角     中間     望遠
焦点距離       4.95    17.10    97.86  
Fナンバー      2.85     3.42     5.68  
半画角（度）   38.04    12.76     2.27  
像高           3.88     3.88     3.88  
レンズ全長    86.04    91.45   118.04  
BF            10.05    15.93     8.58  
d 5            0.70    22.07    41.23  
d13           26.08     8.15     1.85  
d14            7.79     3.75     1.10  
d21            1.55     0.87     4.93  
d23            2.01     2.84    22.51  
d25            7.39    13.27     5.92  
ズームレンズ群データ
群  始面    焦点距離  
1    1      62.98  
2    6      -9.60  
3   14       ∞    
4   15      18.68  
5   22     -90.71  
6   24      26.76  
7   26       ∞